(57)【要約】【課題】電子部品を破損したり傷付けることなく案内して収納する電子部品収納装置を提供する。【解決手段】電子部品収納装置１０は収納容器１１と、内側部材１２と、ガイド部材１３とを備える。電子部品２０が長さａ、幅ｂ、高さｃをもつ場合、収納容器１１と内側部材１２との間の間隙をｄとすると、  ａ≧ｂ＞ｃ、ｂ＞ｄ＞ｃとなる。【選択図】図１
2019137449.tif 000002
【特許請求の範囲】
【請求項１】
平坦状でかつ直方体形状をもつ電子部品を案内して収納する電子部品収納装置において、
上部開口を有し、多角筒状または円筒状の収納容器と、
前記収納容器内に配置され、前記収納容器との間に収納空間を形成するとともに、前記収納容器に対応して多角筒状または円筒状の形状をもつ内側部材と、
前記内側部材の上部に連結され、前記内側部材に対応して多角すい状または円すい状の形状をもつガイド部材とを備え、
前記電子部品が長さａ、幅ｂ、高さｃをもち、前記収納空間の水平断面が間隙ｄをもつとき、
ａ≧ｂ＞ｃ、
ｂ＞ｄ＞ｃの関係を満たす、電子部品収納装置。
【請求項２】
前記収納容器および前記内側部材は円筒状の形状をもち、前記ガイド部材は円すい状の形状をもつ、請求項１記載の電子部品収納装置。
【請求項３】
前記内側部材と前記ガイド部材の合計高さは、前記収納容器の高さより小さい、請求項１または２記載の電子部品収納装置。
【発明の詳細な説明】
【技術分野】
【０００１】
本発明は平坦状でかつ直方体形状をもつ電子部品を案内して収納する電子部品収納装置に関する。
【背景技術】
【０００２】
従来より、平坦状の直方体形状をもつ電子部品を案内して収納する電子部品収納装置１０として、四角筒状の収納容器１１と、この収納容器１１内に配置された傾斜板１５とを有するものが知られている（図６参照）。
【０００３】
このような電子部品収納装置１０において、直方体形状をもつ電子部品２０は上部開口１１ａから収納容器１１内へ投入される。
【０００４】
収納容器１１内へ投入された電子部品２０は、傾斜板１５上を滑りながら、あるいは傾斜板１５上を跳躍しながら、搬送速度を低下させ、収納容器１１の下部に落下する。
【０００５】
従来の電子部品収納装置１０において、既に収納容器１１の下部に収納されている電子部品２０と、新たに収納容器１１の下部に落下する電子部品２０とが衝突する。この場合、収納容器１１の下部に落下する電子部品２０は特にその姿勢が規制されていないため、衝突する電子部品２０同士が傷付くことも考えられる。
【０００６】
一般に電子部品は表側および裏側の大形面が比較的衝撃に弱い面となっており、側面は小形面となって比較的衝撃に強い面となっている。このため、衝突する電子部品２０が、衝撃に弱い面同士で衝突すると、電子部品２０に傷が付いたり、破損してしまう。
【０００７】
また、電子部品２０に傷が付いたり破損したりすることを防ぐため、収納容器１１内に配置された傾斜板１５の傾斜角を緩くして電子部品２０の落下速度を低下させることも考えられるが、傾斜角を緩くすると、傾斜板１５上で電子部品２０が滞溜してしまう。
【発明の概要】
【発明が解決しようとする課題】
【０００８】
本発明はこのような点を考慮してなされたものであり、電子部品に傷を付けたり破損することなく、電子部品を迅速かつ確実に案内して収納することができる電子部品収納装置を提供することを目的とする。
【課題を解決するための手段】
【０００９】
本発明は、平坦状でかつ直方体形状をもつ電子部品を案内して収納する電子部品収納装置において、上部開口を有し、多角筒状または円筒状の収納容器と、前記収納容器内に配置され、前記収納容器との間に収納空間を形成するとともに、前記収納容器に対応して多角筒状または円筒状の形状をもつ内側部材と、前記内側部材の上部に連結され、前記内側部材に対応して多角すい状または円すい状の形状をもつガイド部材とを備え、前記電子部品が長さａ、幅ｂ、高さｃをもち、前記収納空間の水平断面が間隙ｄをもつとき、ａ≧ｂ＞ｃ、ｂ＞ｄ＞ｃの関係を満たす、電子部品収納装置である。
【００１０】
本発明は、前記収納容器および前記内側部材は円筒状の形状をもち、前記ガイド部材は円すい状の形状をもつ、電子部品収納装置である。
【００１１】
本発明は、前記内側部材と前記ガイド部材の合計高さは、前記収納容器の高さより小さい、電子部品収納装置である。
【発明の効果】
【００１２】
以上のように本発明によれば、電子部品に傷を付けたり破損することなく、電子部品を迅速かつ確実に案内して収納することができる。
【図面の簡単な説明】
【００１３】
【図１】本発明による電子部品収納装置を示す側断面図。
【図２】電子部品収納装置を示す平面図。
【図３】電子部品収納装置の水平断面図であって図１のIII−III線断面図。
【図４】電子部品の外形を示す図。
【図５】電子部品の変形例の外形を示す図。
【図６】従来の電子部品収納装置を示す斜視図。
【発明を実施するための形態】
【００１４】
以下、図面を参照して本発明の実施の形態を説明する。
【００１５】
ここで図１乃至図４は、本発明による電子部品収納装置を示す図である。
【００１６】
まず、図４により電子部品収納装置内に収納される電子部品２０について述べる。
【００１７】
図４に示すように、電子部品２０は平坦状でかつ直方体形状をもち、大形面となる表側面２０Ａと、大形面となる裏側面２０Ｂと、小形面となる４つの側面２０Ｃとを有する六面体により形成されている。
【００１８】
また電子部品２０の表側面２０Ａおよび裏側面２０Ｂのいずれかの片面、あるいは両面には、当該面の両端部に電極２１が形成されている。あるいは、電子部品２０が発光ダイオード（ＬＥＤ）の場合には、例えば表側面２０Ａに樹脂製の発光部２２を形成してもよい（図５参照）。
【００１９】
このような電子部品２０において、大形状の表側面２０Ａと裏側面２０Ｂは、比較的衝撃に弱い面となっており、複数の電子部品２０同士がこれら表側面２０Ａと裏側面２０Ｂにおいて衝突した場合、電子部品２０が破損したり傷付いたりしてしまう。
【００２０】
他方、小形面となる側面２０Ｃは比較的衝撃に強い面となっており、複数の電子部品２０同士がこれらの側面２０Ｃで衝突しても、電子部品２０は容易に破損したり傷が付いたりしない。
【００２１】
また図４において、電子部品２０は長さａ、幅ｂ、高さｃの値をもつ。
【００２２】
次に図１乃至図３により、本発明による電子部品収納装置について説明する。  
電子部品収納装置１０は、上部開口１１ａと密閉された底部１１ｂとを有する円筒状の収納容器１１と、収納容器１１内に配置され、収納容器１１との間に収納空間１４を形成する円筒状の内側部材１２とを備えている。
【００２３】
また、内側部材１２の上部に、円すい状の形状をもつガイド部材１３が連結されている。
【００２４】
上述のように収納容器１１および内側部材１２は、いずれも円筒状の形状をもち、ガイド部材１３は円すい状の形状をもつが、収納容器１１および内側部材１２は、いずれも多角筒状の形状をもっていてもよい。この場合、ガイド部材１３は、内側部材１２に対応して多角すい状の形状をもつ。
【００２５】
例えば、収納容器１１および内側部材１２が四角筒状の形状をもつ場合、内側部材１２は四角すい状の形状をもつ。また収納容器１１および内側部材１２が五角筒状の形状をもつ場合、内側部材１２は五角すい状の形状をもつ。
【００２６】
また収納容器１１と内側部材１２との間には収納空間１４が内側部材の外周に沿って形成され、収納空間１４の水平断面は間隔ｄをもつ（図３参照）。
【００２７】
なお、本実施の形態において、「上方」、「下方」、「上部」、「下部」とは、電子部品収納装置１０を図１のように配置した場合における「上方」、「下方」、「上部」、「下部」を指す。
【００２８】
次に収納容器１１と内側部材１２との間の収納空間１４の形状について述べる。
【００２９】
収納空間１４は内側部材１２の外周に沿って環状に形成されており、その水平断面における間隙ｄは、以下のような値をとる。
【００３０】
まず電子部品２０の長さａ、幅ｂ、高さｃは、
ａ≧ｂ＞ｃの関係を満たす。
【００３１】
また収納空間１４の間隙ｄは、
ｂ＞ｄ＞ｃの関係を満たす。
【００３２】
収納空間１４の間隙ｄが上述の関係を満たすため、収納空間１４内に入る電子部品２０は大形面となる表側面２０Ａおよび裏側面２０Ｂが上方を向いたり下方を向くことはない。
【００３３】
収納空間１４内に入る電子部品２０は、その表側面２０Ａおよび裏側面２０Ｂが常に側方に向く姿勢をとる。このため、収納空間１４内の電子部品２０の小形面となるいずれかの側面２０Ｃが上方および下方を向く。ところで、図１に示すように、内側部材１２とガイド部材１３の合計高さは、収納容器１１の高さより小さくなっている。
【００３４】
次にこのような構成からなる本実施の形態の作用について説明する。
【００３５】
まず電子部品２０が収納容器１１の上部開口１１ａから収納容器１１内に投入される。
【００３６】
収納容器１１内に投入された電子部品２０は、円すい状のガイド部材１３によりガイド部材１３の外周に向かって案内され、その後、収納容器１１と内側部材１２との間の収納空間１４内へ落下する。
【００３７】
この場合、収納容器１４の間隙ｄは、ｂ＞ｄ＞ｃの関係を満たすため、収納空間１４内において、電子部品２０は大形面となる表側面２０Ａおよび裏側面２０Ｂが側方を向く姿勢をとり、４つの小形面となる側面２０Ｃのいずれかが上方および下方を向く。
【００３８】
このように収納容器１１内に投入された電子部品２０は、収納空間１４内に入り、既に収納空間１４内にある電子部品２０と衝突する。この場合、収納空間１４内の電子部品２０は、いずれもその小形面となる側面２０Ｃが上方および下方を向くことになるため、複数の電子部品２０は小形面となる側面２０Ｃにおいて互いに衝突することになる。
【００３９】
上述のように、電子部品２０の大形面となる表側面２０Ａおよび裏側面２０Ｂは、破損し易くかつ傷付き易くなっているが、小形面となる側面２０Ｃは破損しにくくかつ傷付きにくい。このため、収納空間１４内で複数の電子部品２０が互いに衝突しても、電子部品２０が破損したり、傷が付いたりすることはない。
【００４０】
このように本実施の形態によれば電子部品２０を破損したり傷付けたりすることなく、安全に電子部品収納装置１０の収納空間１４内に案内して収納することができる。
【００４１】
また、収納容器１１内に電子部品２０の速度を低下させるための傾斜板を設ける必要はなく、このため収納容器１１の収納空間１４内に迅速に電子部品２０を案内して収納することができる。
【符号の説明】
【００４２】
１０  電子部品収納装置
１１  収納容器
１２  内側部材
１３  ガイド部材
１４  収納空間
１５  傾斜板
２０  電子部品
２０Ａ  表側面
２０Ｂ  裏側面
２０Ｃ  側面
２１  電極
【図１】
2019137449.tif 000003
【図２】
2019137449.tif 000004
【図３】
2019137449.tif 000005
【図４】
2019137449.tif 000006
【図５】
2019137449.tif 000007
【図６】
2019137449.tif 000008